(57)【特許請求の範囲】
【請求項１】
光学ユニットによって撮像素子上に結像された被写体の像から画像信号を生成する画像信号生成手段と、
前記画像信号生成手段により前記画像信号を生成する際の手ブレ量を検出し、光学的あるいは電子的に撮像画角を変更する手ブレ補正手段と、
予め記憶されたデータを用いて、前記撮像素子上の画素の座標位置に応じた、前記光学ユニットに起因して生じる光量落ちを補正するための補正ゲインを求めるゲイン生成手段と、
前記手ブレ補正手段により変更された前記撮像画角の光学中心からの乖離度に基づいて、前記ゲイン生成手段で求めた補正ゲインを弱めるための調整を行う調整手段と、
前記調整手段によって調整が行われた補正ゲインを用いて、前記画像信号における、前記光学ユニットに起因して生じる光量落ち現象を補正する光量落ち補正手段とを有し、
前記調整手段は、前記乖離度が大きくなるほど、前記ゲイン生成手段で求めた補正ゲインを弱める程度を大きくするものであって、前記手ブレ補正手段により変更された前記撮像画角の移動方向に基づいて、補正ゲインを弱める程度を変更することを特徴とする撮像装置。
【請求項２】
前記調整手段は、前記乖離度が閾値以上である場合は、前記ゲイン生成手段で求めた補正ゲインを弱めるための調整を行い、前記乖離度が閾値未満である場合は、前記ゲイン生成手段で求めた補正ゲインを弱めるための調整を行わないことを特徴とする請求項１に記載の撮像装置。
【請求項３】
前記画像信号から高周波成分を抽出し、抽出した高周波成分に輪郭補償ゲインを乗じる輪郭補償手段を有し、
前記輪郭補償手段は、前記調整手段によって調整が行われた補正ゲインが大きくなるほど、前記輪郭補償ゲインを小さくすることを特徴とする請求項１または２に記載の撮像装置。
【請求項４】
光学ユニットによって撮像素子上に結像された被写体の像から画像信号を生成する画像信号生成手段と、前記画像信号生成手段により前記画像信号を生成する際の手ブレ量を検出し、光学的あるいは電子的に撮像画角を変更する手ブレ補正手段を有する撮像装置から得られた画像信号の処理方法であって、
予め記憶されたデータを用いて、前記撮像素子上の画素の座標位置に応じた、前記光学ユニットに起因して生じる光量落ちを補正するための補正ゲインを求める工程と、
前記手ブレ補正手段により変更された前記撮像画角の光学中心からの乖離度に基づいて、前記座標位置に応じた補正ゲインを調整する工程と、
調整が行われた前記補正ゲインを用いて、前記画像信号における、前記光学ユニットに起因して生じる光量落ち現象を補正する工程とを有し、
前記補正ゲインを調整する工程では、前記乖離度が大きくなるほど、前記撮像素子上の画素の座標位置に応じた補正ゲインを弱める程度を大きくするものであって、前記手ブレ補正手段により変更された前記撮像画角の移動方向に基づいて、補正ゲインを弱める程度を変更することを特徴とする画像信号の処理方法。
【発明の詳細な説明】
【技術分野】
【０００１】
本発明は撮像装置及び画像信号の処理方法に関し、特に、光学的な要因による画質の劣化を、光学情報を基にして補正するために用いて好適な技術に関する。
【背景技術】
【０００２】
近年のデジタルビデオカメラ、デジタルカメラでは、超多画素のセンサを採用することにより、より高画質な映像を得られるようになってきている。反面、センサ画素の微細化や、小型レンズ設計の困難さなどの要因で、光学系が原理的に引き起こしてしまう像円周辺部の光量低下による画質劣化が顕在化するようになってきている。このような問題に対し、光学系のパラメータ情報から光量低下を補正する技術としては、特許文献１に記載の「光量補正装置」がある。
【０００３】
また、デジタルビデオカメラ、デジタルカメラでは、ジャイロなどを用いて取得される手ブレ量を基にして、シフトレンズなどを用いて光路を変化させることで手ブレ成分を除去する光学的手ブレ補正が採用されている。あるいは、撮像素子からの画像を一度フレームメモリに保持し、フレームメモリへの書き込み、読み出しで画角調整することで手ブレ成分を除去する電子的手ブレ補正が採用されている。
【０００４】
このような手ブレ補正を行うことで、光学系起因の光量低下は、現象中心のズレなど、様子が逐次変わることになる。このような問題に対し、光学系のパラメータ情報から光量低下を補正する技術としては、特開２００５-２６９１３０に記載の「ドキュメント編集システム」がある。
【先行技術文献】
【特許文献】
【０００５】
【特許文献１】特開平０６―１６５０２３号公報
【特許文献２】特開２００５―２６９１３０号公報
【発明の概要】
【発明が解決しようとする課題】
【０００６】
特に、ビデオカメラのように、焦点距離、絞り、フォーカス位置が撮影中に常に変動するような撮影を想定した場合、光学的な要因による光量低下は、光学パラメータの変化によって逐次変動している。
【０００７】
このような撮影状況に対処するためには、補正特性の生成手段は、撮影状況に応じて適切に動的制御を行う必要がある。前述した特許文献１に記載の「光量補正装置」では、フォーカス、ズーム、アイリス情報から、動的に撮像装置の映像信号の光量低下を補正している。
【０００８】
しかしながら、特許文献１に記載の「光量補正装置」では、補正処理によって生じる画質劣化、特に、Ｓ／Ｎ感の劣化について言及されていない。このため、もともとノイズ感の高い撮影状況であった場合に、光量低下を補正した領域がかえって画質を劣化させてしまっていた。
【０００９】
また、特許文献２に記載の「ドキュメント編集システム」では、手ブレ補正機構を有する撮像装置で、手ブレ補正の移動量に応じてシェーディング補正を決定している。しかしながら、この「ドキュメント編集システム」では、やはり補正処理によって生じる画質劣化について言及されていない。特に、Ｓ／Ｎ感の劣化について言及されておらず、もともとノイズ感の高い撮影状況であった場合に、光量低下を補正した領域が画質をかえって劣化させてしまっていた。
本発明は前述の問題点に鑑み、撮影状況に依存した適切な光量落ち補正が実現できるようにすることを目的としている。
【課題を解決するための手段】
【００１０】
本発明の撮像装置は、光学ユニットによって撮像素子上に結像された被写体の像から画像信号を生成する画像信号生成手段と、前記画像信号生成手段により前記画像信号を生成する際の手ブレ量を検出し、光学的あるいは電子的に撮像画角を変更する手ブレ補正手段と、予め記憶されたデータを用いて、前記撮像素子上の画素の座標位置に応じた、前記光学ユニットに起因して生じる光量落ちを補正するための補正ゲインを求めるゲイン生成手段と、前記手ブレ補正手段により変更された前記撮像画角の光学中心からの乖離度に基づいて、前記ゲイン生成手段で求めた補正ゲインを弱めるための調整を行う調整手段と、前記調整手段によって調整が行われた補正ゲインを用いて、前記画像信号における、前記光学ユニットに起因して生じる光量落ち現象を補正する光量落ち補正手段とを有し、前記調整手段は、前記乖離度が大きくなるほど、前記ゲイン生成手段で求めた補正ゲインを弱める程度を大きくするものであって、前記手ブレ補正手段により変更された前記撮像画角の移動方向に基づいて、補正ゲインを弱める程度を変更することを特徴とする。
【発明の効果】
【００１１】
本発明によれば、画質低下の抑制と光量落ち補正をバランス良く両立させることが可能となる。
【図面の簡単な説明】
【００１２】
【図１】本発明の第１の実施形態を示し、撮像装置の構成例を示すブロック図である。
【図２】本発明の第２の実施形態を示し、撮像装置の構成例を示すブロック図である。
【図３】本発明の第３の実施形態を示し、撮像装置の構成例を示すブロック図である。
【図４】本発明の第４の実施形態を示し、撮像装置の構成例を示すブロック図である。
【図５】本発明の第５の実施形態を示し、撮像装置の構成例を示すブロック図である。
【図６】本発明の第６の実施形態を示し、撮像装置の構成例を示すブロック図である。
【図７】（ａ）は光量落ち現象の一例を説明する特性図であり、（ｂ）は補正の特性例を説明する特性図である。
【図８】光量落ち補正ゲイン値の制御特性の一例を説明する特性図である。
【図９】光量落ち現象画像、補正画像の一例を説明する特性図である。
【図１０】本発明の第２の実施形態を示し、光量落ち補正ゲイン値の制御特性の一例を説明する特性図である。
【図１１】本発明の第３の実施形態を示し、像円とシフトレンズの移動による撮像素子に結像する領域の変化の一例を模式的に示した図である。
【図１２】本発明の第３の実施形態を示し、光量落ち補正ゲイン値の制御特性の一例を説明する特性図である。
【図１３】本発明の第３の実施形態を示し、抑圧係数の関数の一例を説明する特性図である。
【図１４】本発明の第３の実施形態を示し、手ブレ補正と光量落ち現象画像、補正画像の一例を説明する特性図である。
【図１５】本発明の第５の実施形態を示し、輪郭補償制御特性の一例を説明する特性図である。
【図１６】本発明の第５の実施形態を示し、ノイズ抑圧制御特性の一例を説明する特性図である。
【図１７】本発明の第１の実施形態を示し、水平同期信号ＨＤ、垂直同期信号ＶＤの一例を説明する図である。
【図１８】本発明の第１の実施形態を示し、直交座標系、極座標系を模式的に説明した図である。
【図１９】本発明の第１の実施形態を示し、画素座標生成回路の一例を示すブロック図である。
【図２０】本発明の第１の実施形態を示し、ゲイン調整回路の一例を示すブロック図である。
【図２１】本発明の第２の実施形態を示し、ゲイン調整回路の一例を示すブロック図である。
【図２２】本発明の第２の実施形態を示し、ＡＦＥゲインと光量落ち現象画像、補正画像の一例を示す図である。
【図２３】本発明の第４の実施形態を示し、メモリアドレスの移動による読み出し領域の変化を模式的に示した図である。
【図２４】本発明の第３の実施形態を示し、ゲイン調整回路の一例を示すブロック図である。
【図２５】本発明の第５の実施形態を示し、ゲイン調整回路の一例を示すブロック図である。
【図２６】本発明の第５及び６の実施形態を示し、輪郭補償回路の一例を示すブロック図である。
【図２７】本発明の第５の実施形態を示し、ノイズ抑圧回路の一例を示すブロック図である。
【図２８】本発明の第５の実施形態を示し、入出力関数の一例を示す図である。
【図２９】本発明の第６の実施形態を示し、ゲイン調整回路の一例を示すブロック図である。
【図３０】本発明の第１の実施形態を示し、撮像装置で行われる光量落ち補正処理の概略を説明するフローチャートである。
【発明を実施するための形態】
【００１３】
（第１の実施形態）
以下、図面を参照しながら本発明の好適な実施の形態を説明する。
図１は、本発明に好適な光量落ち補正処理を行う撮像装置の構成例を示すブロック図である。
図１に示すように、本実施形態の撮像装置は、ズームレンズ、フォーカスレンズなどで構成されるレンズユニット１、及び絞り２からなる光学ユニットを通して結像された映像は、色フィルタが規則的に配色された撮像素子３で映像信号となる。そして、アナログフロントエンド（以降ＡＦＥ）４で、デジタル映像信号に変換される。すなわち、レンズユニット１、絞り２、撮像素子３及びアナログフロントエンド４により映像信号生成部が構成されている。
【００１４】
ＡＦＥ４から出力されるデジタル映像信号は、光量落ち補正回路５に入力される。そして、光量落ち補正回路５において補正値Ｇｔ'が、撮像素子上の任意の画素毎に順次乗ぜられることで、レンズユニット１及び絞り２によって生じる像円周辺部の光量落ち現象が補正されて出力される。
【００１５】
次に、補正値Ｇｔ'の生成について詳細に述べる。
ビデオカメラの光学系は、ズーミング操作や被写体の移動、撮影対象の変更、周囲の明るさの環境変化や撮影者の意図する撮影効果などの様々な要因により、光学パラメータは変更可能である。ここで、光学パラメータは焦点距離、フォーカス位置、絞り値に代表され、常に制御され変動している。なお、以降の説明において、光学パラメータとある場合は、焦点距離、フォーカス位置、絞り値を示す。
【００１６】
マイコン６は、所定の焦点距離を実現するための駆動パルス位置ＣＬを出力し、レンズユニット１のズームレンズ用アクチュエータ７を駆動する。また、マイコン６は、所定の焦点距離を実現するための駆動パルス位置ＣＦを出力し、レンズユニット１のフォーカスレンズ用アクチュエータ８を駆動する。
【００１７】
さらに、マイコン６は、所定の絞り値を実現するための駆動パルス位置ＣＦを出力し、絞り２のアクチュエータ９を駆動する。タイミングジェネレータ（以降、ＴＧ）１０は、撮影装置が使用する撮像素子３の駆動仕様に合わせて、図１７に示すような水平同期信号ＨＤ、垂直同期信号ＶＤを発生してＡＦＥ４に出力する。ＡＦＥ４は駆動波形を生成して撮像素子３に入力する。
【００１８】
この水平同期信号ＨＤ、垂直同期信号ＶＤは、マイコン６から指示する光軸中心位置情報Ｃｘ、Ｃｙとともに、画素座標生成回路１１にも入力される。画素座標生成回路１１は、例えば図１９のように構成されている。
【００１９】
画素座標生成回路１１には、水平同期信号ＨＤ、垂直同期信号ＶＤが入力されている。そして、水平同期信号ＨＤの立ち下りでリセットされるＨカウンタ１９１と、垂直同期信号ＶＤの立ち下がりでリセットされるＶカウンタ１９２が、それぞれ水平カウンタ値Ｘ、垂直カウンタ値Ｙを出力する。
【００２０】
ここで、水平カウンタ値Ｘ及び垂直カウンタ値Ｙは、図１８に示すように、撮像素子３の出力画素を走査方向に沿って水平軸を、走査方向に直交して垂直軸を規定する、二次元の直交座標系となっている。
【００２１】
画素座標生成回路１１に入力される光軸中心位置情報Ｃｘ、Ｃｙは、レンズユニット１、絞り２で構成される光学系の光軸中心位置ｃが、前述した直交座標系でどの位置にあるかを示している。ここで、着目画素tの水平カウンタ値Ｘ及び垂直カウンタ値ＹをＸｔ、Ｙｔとすると、光軸中心位置ｃを原点とする極座標系において、着目画素tの極座標は下記の「数１」と表すことができる。極座標変換回路１９３は、「数１」の演算を行い、極座標値Ｒｔを出力する。「数１」のような平方根演算は、二分法、開平法などの既知の手法を有限語長精度で表現することにより、ハードウェア数値演算として実現することが可能である。
【００２２】
【数１】
0005677361.tif 000002
【００２３】
さて、光学系に起因して生じる光量落ち現象であるが、像高が光学中心から乖離するにつれて、光量落ちが増大することが知られており、光軸中心からの距離で示される像高Ｒに対して、例えば図７（ａ）、（ｂ）のような特性を有する。図７（ａ）には、着目画素tの光量Ｖｔと像高Ｒとの関係において複数の特性が描かれているが、これは、光学パラメータが変更されたときの特性変化の代表的な例を示したものである。
【００２４】
これを見ると、像高中心に近いところから緩やかに光量落ちが発生する場合や、像光が高くなったところで急激に光量が低下する場合など、光学パラメータによって多様な特性を有することが分かる。このような光量落ち現象を解消するためには、図７（ｂ）のように、現象特性の逆数をもって補正ゲインとすればよい。
【００２５】
マイコン６は、光学ユニット１及び絞り２に駆動パルス位置ＣＬ、ＣＦ、Ｃｆを出力する際に、光量落ち補正データベース１３を参照し、光量落ち補正生成回路１２に与える補正関数係数セットＣｍを出力する。
【００２６】
光量落ち補正データベース１３は、光学パラメータに対する光量落ち現象の補正特性を保持しているフラッシュメモリなどの記憶装置である。例えば、着目画素tにおける光量落ち補正ゲインＧｔを、３次関数で表現する場合は、以下の（式）のようになる。
Ｇｔ＝ａｔ3＋ｂｔ2＋ｃｔ＋ｄ
【００２７】
前述した（式)において、３次関数の各項の係数ａ、ｂ、ｃ、ｄを補正関数係数セットＣｍとして、光学パラメータ毎に参照可能なＬＵＴ（look up table）としてあらかじめ算出して保持しておく。このＬＵＴは、撮像装置の許容するメモリ容量や、光学系の特性変化量の傾向に応じて情報量を決定すればよく、情報を間引いた光学パラメータ領域では、前後の値から補間するなどの手法で補うことができる。
【００２８】
なお、光量落ち補正データベース１３をＬＵＴとしたのは一例に過ぎない。光学パラメータに対して補正関数係数セットＣｍが複雑な特性変化をするような場合には、補正関数係数セットＣｍの変化自体をさらに高次の関数で表現するなど、撮像装置の特性に応じた手法を採用することができる。
【００２９】
光量落ち補正生成回路１２は、光量落ち補正特性関数を実現する数値演算回路であり、例えば前述したような、３次関数演算を行い、光量落ち補正ゲインＧｔを出力する。光量落ち補正ゲインＧｔは、ゲイン調整回路１４に入力されるとともに、マイコン６からはゲイン調整用の制御係数が入力され、ゲイン調整回路１４の調整動作を制御する。
【００３０】
ゲイン調整回路１４で実行される光量落ち補正ゲイン値の制御は、例えば図８のような、閾値Ｇｔｈと抑圧係数Ｇｓ（Ｇｓ＜０）による非線形特性とし、以下のような（式）で表すことができるものとする。
Ｇｍ＝１  （Ｇｔ＜Ｇｔｈ）
Ｇｍ＝Ｇｓ（Ｇｔ−Ｇｔｈ）＋１  （Ｇｔｈ≦Ｇｔ≦Ｇｔｈ−１／Ｇｓ）
Ｇｍ＝０  （Ｇｔｈ−１／Ｇｓ＜Ｇｔ）
このような補正ゲインＧｔの値が大きいほど、その値を大きく抑圧する特性を実現するため、制御係数は閾値Ｇｔｈと抑圧係数Ｇｓで構成されている。なお、光量落ち補正データベース１３が保持するデータを、Ｇｍが０となるＧｔの値が存在しない値に設定しておくことが望ましい。
【００３１】
ゲイン調整回路１４は、例えば図２０のような回路である。ゲイン生成回路２０１は、光量落ち補正ゲインＧｔと閾値Ｇｔｈ、抑圧係数Ｇｓから、前述した各式の演算によってマスターゲインＧｍを出力する。マスターゲインＧｍは、乗算回路２０２で光量落ち補正ゲインＧｔに乗じられ、指定の制御特性でゲインを調整した光量落ち補正ゲインＧｔ'を出力する。
【００３２】
このようにして、光学パラメータから求められる光量落ち補正ゲインに対して、適性値に調整を行うことが可能となる。例えば、光量落ち現象が図９（ａ）のように非常に大きな光量低下を起こしている場合、これを補正して中央部と同じ明るさにするには、非常に大きなゲインを画像周辺部にかけることになる。
【００３３】
このような補正を行うと、図９（ｂ）のように、明るさは画像全体で均一になるが、光量落ち補正を強く行った領域はＳ／Ｎが低下し、ノイズによる画質劣化が顕著となって現れてしまう。
【００３４】
このような画質低下を低減するために、本実施形態のゲイン調整回路１４は、閾値Ｇｔｈを超えるような光量落ち補正に対して、補正ゲインを弱くするように作用する。このような構成、制御を行うことにより、光量落ち補正を過度に行うことが抑制され、画質劣化を低減することが可能となる。
【００３５】
閾値Ｇｔｈ、抑圧係数Ｇｓは固定である必要はなく、撮影状況や光量落ち特性曲線の状態、撮影者の意図などで動的に変更することができる。なお、この実施形態では、ゲイン調整回路１４を設けてゲイン調整を行ったが、これは一例に過ぎない。
【００３６】
例えば、マイコン６で補正関数係数セットＣｍを生成する際に、ゲイン調整回路１４に与えたような抑圧特性を重畳する、ＬＵＴをシフトして使うなど、ソフトウェアでも同様の制御を実現することが可能である。
【００３７】
前述のように構成された本実施形態の撮像装置で行われる光量落ち補正処理の概略を図３０のフローチャートを参照しながら説明する。
ステップＳ３０１において映像信号が生成されると、ステップＳ３０２に進んで光量落ち補正を行うための補正ゲインを生成する。ステップＳ３０１で行われる映像信号の生成は、前述したように、レンズユニット１、絞り２、撮像素子３及びアナログフロントエンド４により映像信号生成部により行われる。また、光量落ち補正を行うための補正ゲインは、光量落ち補正生成回路１２により、撮像素子３上の画素座標位置に関連付けた特性から生成される。
【００３８】
次に、ステップＳ３０３において、ステップＳ３０２で作成した光量落ち補正ゲインの調整をゲイン調整回路１４により行う。前述したように、ゲイン調整回路１４は、光量落ち補正生成回路１２から供給される、着目画素tにおける光量落ち補正ゲインＧｔを、指定の制御特性で調整して光量落ち補正ゲインＧｔ'を出力する。
【００３９】
次に、ステップＳ３０４において、光量落ち補正が行われる。この補正は、光量落ち補正回路５において補正値Ｇｔ'を画素毎に順次乗算されて行われる。この補正が行われることにより、レンズユニット１及び絞り２によって生じる像円周辺部の光量落ち現象が補正されて出力される。
【００４０】
次に、ステップＳ３０５において、全ての画素を補正したか否かが判断される。この判断の結果、全ての画素を補正していない場合にはステップＳ３０２に戻って前述した処理を繰り返し行う。撮影が行われている間はステップＳ３０５の判断は、常に「ＮＯ」となる。
【００４１】
本実施形態の撮像装置は、前述したような光量落ち補正を行うことにより、Ｓ／Ｎ感の劣化などの画質劣化が生じることがない補正処理を実現することができる。これにより、撮影状況に依存した適切な光量落ち補正が実現でき、例えば、ノイズ感の高い撮影状況であった場合においても、画質を劣化させることなく光量低下を補正することができる。
【００４２】
また、光量落ち補正ゲインが閾値を超えるような光量落ち補正領域に対して、補正ゲインを徐々に抑圧するように制御するようにした。これにより、光量落ち補正を過度に行うことを抑制することができ、光量落ち補正とノイズ感の緩和の両立を実現する。なお、本実施形態の撮像装置は画素単位で光量落ち補正を行ったが、複数の画素で構成されたエリア単位で光量落ち補正を行っても構わない。撮像素子を複数の領域に分け、この領域毎に光量落ち補正を行う構成であればよい。
【００４３】
（第２の実施形態）
次に、本発明の第２の実施形態についての説明をする。図２は、本発明に好適な光量落ち補正処理を行う撮像装置の一例を説明するブロック図の例である。なお、第１の実施形態の撮像装置を説明した図１の構成と同じくする部分については、詳細な説明は省略する。
【００４４】
ズームレンズ、フォーカスレンズで構成されるレンズユニット１及び絞り２からなる光学ユニットを通して結像された映像は、色フィルタが規則的に配色された撮像素子３で映像信号となり、アナログフロントエンド４で、デジタル映像信号に変換される。デジタル映像信号は、光量落ち補正回路５に入力され、光量落ち補正回路５において補正値Ｇｔ'を画素毎に順次乗算されることで、レンズユニット１及び絞り２によって生じる像円周辺部の光量落ち現象が補正されて出力される。
【００４５】
第２の実施形態では、マイコン６はＡＦＥ４のゲイン調整機構を制御するために、制御信号Ｇａを出力する。撮像装置は、環境の変化により暗くなってくると、撮像素子３には十分な光が集光されなくなり、出力レベルが下がってくる。これを補うために、マイコン６はＡＦＥ４に対して、暗さに応じたゲイン量を算出した上で、適正露光値になるようにゲイン値Ｇａを出力する。ＡＦＥ４は、指示されたゲイン値Ｇａに基づいて、撮像素子３の出力レベルを増大するようにゲインを乗じて出力する。
【００４６】
次に、ゲイン調整回路１４による、光量落ち補正ゲインＧｔに対する補正制御、及び補正値Ｇｔ'の生成について詳細に述べる。
第２の実施形態では、ゲイン調整回路１４には、光量落ち補正生成回路１２が出力した光量落ち補正ゲインＧｔ及び、マイコン６がＡＦＥ４に対して出力したゲイン値Ｇａが入力される。
【００４７】
ゲイン調整回路１４で実行される光量落ち補正ゲイン値の制御は、ここでは例えば図１０の特性図に示すような閾値Ｇｔｈと抑圧係数Ｇｓ（Ｇｓ＜０）による非線形特性とし、以下のような（式)で表すことができるものとする。
Ｇｍ＝１  （Ｇａ＜Ｇｔｈ）
Ｇｍ＝Ｇｓ（Ｇａ−Ｇｔｈ）＋１  （Ｇｔｈ≦Ｇａ≦Ｇｔｈ−１／Ｇｓ）
Ｇｍ＝０  （Ｇｔｈ−１／Ｇｓ＜Ｇａ）
なお、正常な処理では、マイコン６はＡＦＥ４のゲイン値ＧａをＧｍが０となる値に設定することはない。
【００４８】
ゲイン調整回路１４は、例えば図２１のような回路であり、ゲイン生成回路２１１は、ゲイン値Ｇａと閾値Ｇｔｈ、抑圧係数Ｇｓから、前述した式の演算によってマスターゲインＧｍを出力する。マスターゲインＧｍは、乗算回路２１２で光量落ち補正ゲインＧｔに乗じられ、指定の制御特性でゲインを調整した光量落ち補正ゲインＧｔ'を出力する。このようにして、光学パラメータから求められる光量落ち補正ゲインに対して、適性値に調整を行うことが可能となる。
【００４９】
例えば、撮影時の映像レベルが充分に明るい場合、光量落ち現象が図２２（ａ）のように起きていたとしても、これを補正するにはそれほど大きなゲインは必要ない。このような補正を行うと、図２２（ｂ）のように、明るさは画像全体で均一、かつ光量落ち補正によるＳ／Ｎ低下も軽微な画像を得ることができる。しかし、撮影時に周囲が暗くなると、マイコン６の露出調整によりＡＦＥ４の出力にゲインがかけられることになり、図２２（ｃ）のような、全体にノイズがのるような映像出力となる。
【００５０】
このような状態で光量落ち補正を行うと、図２２（ｄ）のように、明るさは画像全体で均一になるが、光量落ち補正を強く行った領域のＳ／Ｎ低下が中央部のＳ／Ｎ感と一致しなくなり、ノイズによる画質劣化が顕著となって現れてしまう。
【００５１】
このような画質低下を低減するために、ゲイン調整回路１４は、閾値Ｇｔｈを超えるようなＡＦＥ４のゲインに対して、補正ゲインを所定値から徐々に弱くするように作用する。このような構成、制御を行うことにより、光量落ち補正を過度に行うことが抑制され、画質劣化を低減することが可能となる。
【００５２】
閾値Ｇｔｈ、抑圧係数Ｇｓは固定である必要はなく、撮影状況や光量落ち特性曲線の状態、撮影者の意図などで動的に変更することができる。なお、この実施形態では、ゲイン調整回路１４を設けてゲイン調整を行ったが、これは一例に過ぎない。例えば、マイコン６で補正関数係数セットＣｍを生成する際に、ゲイン調整回路１４に与えたような抑圧特
性を重畳する、ＬＵＴをシフトして使うなど、ソフトウェアでも同様の制御を実現することが可能である。
【００５３】
（第３の実施形態）
次に、本発明の第３の実施形態についての説明をする。図３は、本発明に好適な光量落ち補正処理を行う撮像装置のブロック図の例である。なお、前述した第１の実施形態、第２の実施形態を構成する撮像装置と同じくする部分については、詳細な説明は省略する。
【００５４】
ズームレンズ、フォーカスレンズで構成されるレンズユニット１及び絞り２からなる光学ユニットを通して結像された映像は、色フィルタが規則的に配色された撮像素子３で映像信号となり、アナログフロントエンド４で、デジタル映像信号に変換される。デジタル映像信号は、光量落ち補正回路５に入力され、光量落ち補正回路５において補正値Ｇｔ'を画素毎に順次乗算されることで、レンズユニット１及び絞り２によって生じる像円周辺部の光量落ち現象が補正されて出力される。
【００５５】
第３の実施形態では、マイコン６はレンズユニット１内部にある手ブレ補正用のシフトレンズ１５を制御するために、制御信号Ｃｄｉ、Ｃｖａを出力する。撮像装置は、撮影者の手ブレによって、撮像素子３に結像する映像にランダムな画角変動が生じてしまい、映像として見辛いものとなってしまう。
【００５６】
これを補うために、マイコン６はシフトレンズ１５に対して、手ブレ方向、手ブレ量を検出した上で、手ブレのない映像が撮像素子３に結像するように、位相変化方向Ｃｄｉ、位相変化量Ｃｖａを位相シフト制御信号として出力する。シフトレンズ１５は、指示された制御信号Ｃｄｉ、Ｃｖａに基づいて、シフトレンズを所定の方向、所定の量だけ位相シフトさせ、手ブレ成分を除去する。
【００５７】
図１１は、光学ユニット１の像円に対して、シフトレンズの移動により撮像素子３に結像する領域の変化の一例を示す図である。図１１において、光軸中心にある画角（黒枠）は、撮影者の手ブレ方向、量とちょうど点対象になるように位相変化方向Ｃｄｉ、位相変化量Ｃｖａが与えられ、撮像画角が移動する（白枠）。
【００５８】
次に、ゲイン調整回路１４による、光量落ち補正ゲインＧｔに対する補正制御及び補正値Ｇｔ'の生成について詳細に述べる。
第３の実施形態では、ゲイン調整回路１４には、光量落ち補正生成回路１２が出力した光量落ち補正ゲインＧｔ及び、マイコン６がシフトレンズ１５に対して出力した位相シフト制御信号Ｃｄｉ、Ｃｖａが入力される。
【００５９】
ゲイン調整回路１４で実行される光量落ち補正ゲイン値の制御は、ここでは例えば図１２のような閾値Ｇｔｈと抑圧係数Ｇｓ（Ｇｓ＜０）による非線形特性とし、以下のような（式)で表すことができるものとする。
Ｇｍ＝１    （Ｃｖａ＜Ｃｔｈ）
Ｇｍ＝Ｇｓ（Ｃｖａ−Ｃｔｈ）＋１    （Ｃｔｈ≦Ｃｖａ≦Ｃｔｈ−１／Ｇｓ）
Ｇｍ＝０    （Ｃｔｈ−１／Ｇｓ＜Ｃｖａ）
なお、正常な手ブレ補正処理では、マイコン６は位相変化量ＣｖａをＧｍが０となる値に設定することはない。
【００６０】
通常、撮像装置の出力画角アスペクト比は４:３、１６:９など正方形ではないため、シフトレンズ１５の移動方向により、画角の中で偏った光量落ち現象となる。そして、対角方向にシフトレンズを移動した場合が、光量落ち現象に最も偏りを生じ、対角線上で光量落ちが激しく起こることになる。これを考慮した場合は、前述した特性式の抑圧係数Ｇｓは、位相変化方向Ｃｄｉの関数として制御されることが望ましい。
【００６１】
撮像装置の出力画角アスペクト比のａ―ｔａｎをａとすると、抑圧係数Ｇｓ'はａと位相変化方向Ｃｄｉの関数をマイコン６からの抑圧係数Ｇｓに乗じた以下の「数２」で表すことができ、例えば図１３のような特性を持たせるようにする。
【００６２】
【数２】
0005677361.tif 000003
【００６３】
これは、位相変化方向Ｃｄｉがaに近くなるほど抑圧係数Ｇｓを低下させるように制御を行うための特性である。このような制御を加えると、光量落ち現象が強く出てしまう対角線上位相を考慮した抑圧係数Ｇｓ'を与えることができる。
【００６４】
ゲイン調整回路１４は、例えば図２４のような回路である。
関数回路２４１は、図１２のような入出力特性を実現する回路である。マイコン６からの標準の抑圧係数Ｇｓと、位相変化方向Ｃｄｉが入力され、図１３のような所定の関数を基に、位相変化方向に適した抑圧係数を求め、調整された抑圧係数Ｇｓ'を出力する。
【００６５】
ゲイン生成回路２４２は、位相変化量Ｃｖａと閾値Ｇｔｈ、抑圧係数Ｇｓ'から、前述した式の演算によってマスターゲインＧｍを出力する。マスターゲインＧｍは、乗算回路２４３で光量落ち補正ゲインＧｔに乗じられ、指定の制御特性でゲインを調整した光量落ち補正ゲインＧｔ'を出力する。このようにして、光学パラメータから求められる光量落ち補正ゲインに対して、適性値に調整を行うことが可能となる。
【００６６】
例えば、手ブレ補正によるシフトレンズ１５の位相が光学ユニット１の光軸中心近傍の場合、光量落ち現象は、図１４（ａ）のように画角の四隅で均一な特性であり、これを補正する場合には光量落ち現象の偏りを考慮する必要はない。
【００６７】
このような状況で補正を行うと、図１４（ｂ）のように、明るさは画像全体で均一、かつ光量落ち補正によるＳ／Ｎ低下も均一な画像を得ることができる。しかし、手ブレによりシフトレンズ１５の位相が光学ユニット１の光軸中心近傍から乖離すると、光量落ち現象は、図１４（ｃ）のように画角の四隅で不均一な特性となる。
【００６８】
このような状態で光量落ち補正を行うと、図１４（ｄ）のように、明るさは画像全体で均一になるが、光量落ち補正を強く行った領域のＳ／Ｎ低下が中央部あるいは他の隅のＳ／Ｎ感と一致しなくなり、ノイズによる画質劣化が顕著となって現れてしまう。このような画質低下を低減するために、ゲイン調整回路１４は、閾値Ｇｔｈを超えるようなシフトレンズ１５の位相変化量Ｃｖａに対して、補正ゲインを徐々に弱くするように作用する。このような構成、制御を行うことにより、光量落ち補正が画角内でアンバランスに、また過度に行うことが抑制され、画質劣化を低減することが可能となる。
【００６９】
閾値Ｇｔｈ、抑圧係数Ｇｓは固定である必要はなく、撮影状況や光量落ち特性曲線の状態、撮影者の意図などで動的に変更することができる。なお、この実施形態では、ゲイン調整回路１４を設けてゲイン調整を行ったが、これは一例に過ぎない。例えば、マイコン６で補正関数係数セットＣｍを生成する際に、ゲイン調整回路１４に与えたような抑圧特性を重畳する、ＬＵＴをシフトして使うなど、ソフトウェアでも同様の制御を実現することが可能である。
【００７０】
本実施形態においては、低照度撮影時に映像信号のレベル不足を補うための信号ゲイン調整手段の動作状況、手ブレ補正の光学中心からの乖離度をもとに、理想的な光量落ち補正ゲインに対して補正を緩和するように制御するようにした。これにより、光量落ち補正とノイズ感の緩和の両立を実現する。
【００７１】
（第４の実施形態）
次に、本発明の第４の実施形態についての説明をする。図４は、本発明に好適な光量落ち補正処理を行う撮像装置のブロック図の例である。なお、前述した第１〜第３の実施形態を構成する撮像装置と同じくする部分については、詳細な説明は省略する。
【００７２】
ズームレンズ、フォーカスレンズで構成されるレンズユニット１及び絞り２からなる光学ユニットを通して結像された映像は、色フィルタが規則的に配色された撮像素子３で映像信号となり、アナログフロントエンド４でデジタル映像信号に変換される。
【００７３】
デジタル映像信号は、光量落ち補正回路５に入力され、光量落ち補正回路５において補正値Ｇｔ'を画素毎に順次乗算されることで、レンズユニット１及び絞り２によって生じる像円周辺部の光量落ち現象が補正されて出力される。
【００７４】
第４の実施形態では、マイコン６は信号処理内部にある手ブレ補正用のフレームメモリ１６を制御するために、制御信号Ｃｄｉ、Ｃｖａをメモリ制御回路１７に出力する。第３の実施形態との違いは、手ブレ補正をシフトレンズで行ういわゆる光学的な防振か、画像メモリ上で行う電子的な防振かである。
【００７５】
図２３は、フレームメモリ１６にいったん保持された撮像素子３の画像に対して、フレームメモリからの読み出しアドレスの移動による出力領域の変化を示している。
図２３において、光軸中心にある画角（黒枠）は、撮影者の手ブレ方向、量とちょうど点対象になるように位相変化方向Ｃｄｉ、位相変化量Ｃｖａが与えられ、画角が移動する（白枠）。ゲイン調整回路１４の詳細以降については、第３の実施形態とまったく同じとなるので、これは省略する。このような構成、制御を行うことにより、光量落ち補正が画角内でアンバランスに、また過度に行うことが抑制され、画質劣化を低減することが可能となる。
【００７６】
閾値Ｇｔｈ、抑圧係数Ｇｓは固定である必要はなく、撮影状況や光量落ち特性曲線の状態、撮影者の意図などで動的に変更することができる。なお、この実施形態では、ゲイン調整回路１４を設けてゲイン調整を行ったが、これは一例に過ぎない。例えば、マイコン６で補正関数係数セットＣｍを生成する際に、ゲイン調整回路１４に与えたような抑圧特性を重畳する、ＬＵＴをシフトして使うなど、ソフトウェアでも同様の制御を実現することが可能である。
【００７７】
（第５の実施形態）
次に、本発明の第５の実施形態についての説明をする。図５は、本発明に好適な光量落ち補正処理を行う撮像装置のブロック図の例である。なお、第２の実施形態を構成する撮像装置と同じくする部分については、詳細な説明は省略する。
【００７８】
ズームレンズ、フォーカスレンズで構成されるレンズユニット１及び絞り２からなる光学ユニットを通して結像された映像は、色フィルタが規則的に配色された撮像素子３で映像信号となり、アナログフロントエンド４で、デジタル映像信号に変換される。
【００７９】
デジタル映像信号は、光量落ち補正回路５に入力され、光量落ち補正回路５において補正値Ｇｔ'を画素毎に順次乗算されることで、レンズユニット１及び絞り２によって生じる像円周辺部の光量落ち現象が補正されて出力される。出力された映像信号は、信号レベル調整を行うホワイトバランス回路２２において白いものが白くなるように、各色信号レベルが調整される。
【００８０】
色分離回路１８は、撮像素子３の色フィルタで離散的にサンプリングされた各色信号、ベイヤー配列であればＲＧＢ信号及び輝度信号Ｙｗを分離して、各色プレーンを補間生成し出力する。ＲＧＢ−Ｙ換算式は、例えばＳＭＰＴＥ １２５Ｍに準拠すれば、以下の（式）である。
Ｙ＝０.２９９Ｒ＋０.５８７Ｇ＋０.１１４Ｂ
【００８１】
輪郭補償回路１９は、例えば図２６のような回路であり、輝度信号Ｙｗは高周波ろ過フィルタであるＢＰＦ２６１で高周波成分を抽出し、乗算回路２６２で輪郭補償ゲインGeを乗じた輪郭信号Ｙｈを出力する。
【００８２】
ＹＣマトリクス回路２０は、色分離回路１８の出力信号ＲＧＢと輝度信号Ｙｗ、輪郭信号Ｙｈが入力され、所定の換算式に基づいてＲＧＢ信号をＹＣｂＣｒ信号にマトリクス変換する。ＲＧＢ−ＣｂＣｒ換算式は、例えばＳＭＰＴＥ １２５Ｍに準拠すれば、以下の（式）である。
Ｃｂ＝０.５００Ｒ−０.４１９Ｇ−０.０８１Ｂ
Ｃｒ＝０.５００Ｂ−０.３３１Ｇ−０.１６９Ｒ
【００８３】
輝度Ｙは、以下の（式）に示すように、輝度信号Ｙｗと、輪郭信号Ｙｈに輪郭補償ゲインＧｅを乗じたものを加算して出力する。
Ｙ＝Ｙｗ＋Ｇｅ*Ｙｈ
【００８４】
出力されたＹ、Ｃｂ、Ｃｒ信号は、ノイズ抑圧回路２１でノイズ成分が抑圧され、Ｙ'、Ｃｂ'、Ｃｒ'信号を出力する。
【００８５】
ノイズ抑圧回路２１は、例えば図２７のような回路であり、ノイズを抑圧して画像処理を行う。この例では小幅振幅雑音を除去するための非線型フィルタであるεフィルタで構成されている。Ｙ、Ｃｂ、Ｃｒの各チャンネルにこのような回路が挿入されているが、ここでは輝度信号Ｙチャンネルに挿入された回路で説明を行う。
【００８６】
マイコン６から与えられるε値Ｇｅｐは、ゲイン調整回路１４から出力される抑圧ゲインＧｎを乗算器２７１で乗じてε値Ｇｅｐ'を出力する。入力信号である輝度信号Ｙｉｎは差分回路２７２に入力され、着目画素と近傍画素との差分値Ｙｄｆ１、Ｙｄｆ２を逐次求める。この例では簡単のため、差分値は着目画素近傍２画素から求めているが、この限りではない。
【００８７】
差分回路２７２の出力差分値Ｙｄｆ１、Ｙｄｆ２は、関数回路２７３に入力され、図２８のような入出力特性を有する関数で非線形処理を施され、Ｙｅ１、Ｙｅ２を出力する。Ｙｅ１、Ｙｅ２、Ｙｉｎは合成回路２７４に入力され、以下の「数３」と演算することで、着目画素との差分が小さいものにだけLPFがかかり、結果小幅振幅雑音を除去することができる。
【００８８】
【数３】
0005677361.tif 000004
【００８９】
第５の実施形態では、第２の実施形態に対し、後段のカメラ信号処理とカメラ信号処理に対する適応制御を加えた例であり、ここでは輪郭補償回路１９及びノイズ抑圧回路２１に加えられる。ゲイン調整回路１４には、光量落ち補正生成回路１２が出力した光量落ち補正ゲインＧｔ及び、マイコン６がＡＦＥ４に対して出力したゲイン値Ｇａが入力される。
【００９０】
ゲイン調整回路１４で実行される光量落ち補正ゲイン値の制御は、ここでは例えば図１０のような閾値Ｇｔｈと抑圧係数Ｇｓ（Ｇｓ＜０）による非線形特性とし、以下のような（式）で表すことができるものとする。
Ｇｍ＝１    （Ｇａ＜Ｇｔｈ）
Ｇｍ＝Ｇｓ（Ｇａ−Ｇｔｈ）＋１    （Ｇｔｈ≦Ｇａ≦Ｇｔｈ−１／Ｇｓ）
Ｇｍ＝０    （Ｇｔｈ−１／Ｇｓ＜Ｇａ）
【００９１】
ゲイン調整回路１４は、例えば図２５のような回路であり、ゲイン生成回路２５１は、ゲイン値Ｇａと閾値Ｇｔｈ、抑圧係数Ｇｓから、前述した式の演算によってマスターゲインＧｍを出力する。マスターゲインＧｍは、乗算回路２５２で光量落ち補正ゲインＧｔに乗じられ、指定の制御特性でゲインを調整した光量落ち補正ゲインＧｔ'を出力する。さらに、マスターゲインＧｍは、ゲイン生成回路２５３及び２５４に入力される。
【００９２】
ゲイン調整回路１４で実行される輪郭補償制御は、ここでは例えば図１５のような閾値Ｇmtheと抑圧係数Ｇmse（Ｇmse＜０）による非線形特性とし、以下のような（式）で表すことができるものとする。
Ｇｅ＝１  （Ｇｍ＜Ｇmthe）
Ｇｅ＝Ｇmse（Ｇｍ−Ｇmthe）＋１  （Ｇmthe≦Ｇｍ≦Ｇmthe−１／Ｇmse）
Ｇｅ＝０  （Ｇmthe−１／Ｇmse＜Ｇｍ）
【００９３】
ゲイン生成回路２５３は、ゲイン値Gmと閾値Gmthe、抑圧係数Ｇmseから、前述した式の演算によって輪郭補償ゲインGeを出力する。ゲイン調整回路１４で実行されるノイズ抑圧制御は、ここでは例えば図１６のような閾値Ｇmthn1、Ｇmthn2（Ｇmthn1＜Ｇmthn2）と抑圧係数Ｇmsn（Ｇmsn＞０）による非線形特性とし、以下のような（式）で表すことができるものとする。
Ｇｎ＝１  （Ｇm＜Ｇmthn1）
Ｇｎ＝Ｇmsn（Ｇm−Ｇmthn1）＋１  （Ｇmthn1≦Ｇm≦Ｇmthn2）
Ｇｎ＝Ｇmsn（Ｇmthn2−Ｇmthn1）＋１  （Ｇm＞Ｇmthn2）
【００９４】
ゲイン生成回路２５４は、ゲイン値Ｇｍと閾値Ｇmthn1、Ｇmthn2と抑圧係数Ｇmsnから、前述した式の演算によってノイズ抑圧ゲインGnを出力する。ノイズ抑圧ゲインGnは、マイコン６からノイズ抑圧回路２１に与えられるε値Gepに対するゲインとして乗じられる。
【００９５】
このようにして、光学パラメータから求められる光量落ち補正ゲインに対して、適性値に調整を行うことが可能となると同時に、光量落ち補正量に応じて画質調整を行うことができる。
【００９６】
閾値Ｇmthe、抑圧係数Ｇmse、閾値Ｇmthn1、Ｇmthn2と抑圧係数Ｇmsnは固定である必要はなく、撮影状況や光量落ち特性曲線の状態、撮影者の意図などで動的に変更することができる。なお、この実施形態では、ゲイン調整回路１４を設けて光量落ちゲイン調整、輪郭補償ゲイン調整、ノイズ抑圧ゲイン調整を行ったが、これは一例に過ぎない。
【００９７】
例えば、マイコン６で補正関数係数セットＣｍを生成する際に、ゲイン調整回路１４に与えたような抑圧特性を重畳する、ＬＵＴをシフトして使う。そして、得られた光量落ちゲインから輪郭補償ゲイン調整、ノイズ抑圧ゲイン調整を求めるなど、ソフトウェアでも同様の制御を実現することが可能である。これにより、光量落ち補正ゲインに応じた画像処理を実現することができる。具体的には、輪郭補償処理やノイズ抑圧処理を制御するようにしたので、より好適な画像を得ることができる。
【００９８】
（第６の実施形態）
次に、本発明の第６の実施形態についての説明をする。図６は、本発明に好適な光量落ち補正処理を行う撮像装置のブロック図の例である。なお、第３の実施形態、第５の実施形態を構成する撮像装置と同じくする部分については、詳細な説明は省略する。
【００９９】
ズームレンズ、フォーカスレンズで構成されるレンズユニット１及び絞り２からなる光学ユニットを通して結像された映像は、色フィルタが規則的に配色された撮像素子３で映像信号となり、アナログフロントエンド４で、デジタル映像信号に変換される。
【０１００】
デジタル映像信号は、光量落ち補正回路５に入力され、光量落ち補正回路５において補正値Ｇｔ'を画素毎に順次乗算されることで、レンズユニット１及び絞り２によって生じる像円周辺部の光量落ち現象が補正されて出力される。出力された映像信号は、ホワイトバランス回路２２で白いものが白くなるように、各色信号レベルが調整される。
【０１０１】
色分離回路１８は、撮像素子３の色フィルタで離散的にサンプリングされた各色信号、ベイヤー配列であればＲＧＢ信号及び輝度信号Ｙｗを分離して、各色プレーンを補間生成し出力する。
【０１０２】
輪郭補償回路１９は画像処理を行うために設けられた回路であり、例えば図２６のような回路である。図２６に示すように、輝度信号Ｙｗは高周波ろ過フィルタであるＢＰＦ２６１で高周波成分を抽出し、乗算回路２６２で輪郭補償ゲインGeを乗じて輪郭信号Ｙｈを生成して出力する。
【０１０３】
ＹＣマトリクス回路２０は、色分離回路１８の出力信号ＲＧＢと輝度信号Ｙｗ、輪郭信号Ｙｈが入力され、所定の換算式に基づいてＲＧＢ信号をＹＣｂＣｒ信号にマトリクス変換する。出力されたＹＣｂＣｒ信号は、ノイズ抑圧回路２１でノイズ成分が抑圧され、Y'Cb'Cr'信号を出力する。
【０１０４】
第６の実施形態では、第３の実施形態に対し、後段のカメラ信号処理とカメラ信号処理に対する適応制御を加えた例であり、ここでは輪郭補償回路１９及びノイズ抑圧回路２１に加えられる。
【０１０５】
ゲイン調整回路１４には、光量落ち補正生成回路１２が出力した光量落ち補正ゲインＧｔ及び、マイコン６がシフトレンズ１５に対して出力した位相シフト制御信号Ｃｄｉ、Ｃｖａが入力される。
【０１０６】
ゲイン調整回路１４で実行される光量落ち補正ゲイン値の制御は、ここでは例えば図１１のような閾値Ｇｔｈと抑圧係数Ｇｓ（Ｇｓ＜０）による非線形特性とし、以下のような（式）で表すことができるものとする。
Ｇｍ＝１    （Ｃｖａ＜Ｃｔｈ）
Ｇｍ＝Ｇｓ（Ｃｖａ−Ｃｔｈ）＋１  （Ｃｔｈ≦Ｃｖａ≦Ｃｔｈ−１／Ｇｓ）
Ｇｍ＝０    （Ｃｔｈ−１／Ｇｓ＜Ｃｖａ）
【０１０７】
ゲイン調整回路１４は、例えば図２９のような回路である。
関数回路２９１は、図１２のような入出力特性を実現する回路であり、マイコン６からの標準の抑圧係数Ｇｓと、位相変化方向Ｃｄｉが入力され、図１３のような所定の関数を基に、位相変化方向に適した抑圧係数を求め、調整された抑圧係数Ｇｓ'を出力する。
【０１０８】
ゲイン生成回路２９２は、位相変化量Ｃｖａと閾値Ｇｔｈ、抑圧係数Ｇｓ'から、前述した式の演算によってマスターゲインＧｍを出力する。マスターゲインＧｍは、乗算回路２９３で光量落ち補正ゲインＧｔに乗じられ、指定の制御特性でゲインを調整した光量落ち補正ゲインＧｔ'を出力する。さらに、マスターゲインＧｍは、ゲイン生成回路２９４及び２９５に入力される。
【０１０９】
ゲイン調整回路１４で実行される輪郭補償制御は、ここでは例えば図１５のような閾値Ｇmtheと抑圧係数Ｇmse（Ｇmse＜０）による非線形特性とし、以下のような（式）で表すことができるものとする。
Ｇｅ＝１  （Ｇｍ＜Ｇmthe）
Ｇｅ＝Ｇmse（Ｇｍ−Ｇmthe）＋１  （Ｇmthe≦Ｇｍ≦Ｇmthe−１／Ｇmse）
Ｇｅ＝０  （Ｇmthe−１／Ｇmse＜Ｇｍ）
【０１１０】
ゲイン生成回路２９４は、ゲイン値Ｇｍと閾値Ｇmthe、抑圧係数Ｇmseから、前述した（式）の演算によって輪郭補償ゲインGeを出力する。ゲイン調整回路１４で実行されるノイズ抑圧制御は、ここでは例えば図１６のような閾値Ｇmthn1、Ｇmthn2（Ｇmthn1＜Ｇmthn2）と抑圧係数Ｇmsn（Ｇmsn＞０）による非線形特性とし、以下のような（式)で表すことができるものとする。
Ｇｎ＝１  （Ｇm＜Ｇmthn1）
Ｇｎ＝Ｇmsn（Ｇm−Ｇmthn1）＋１  （Ｇmthn1≦Ｇm≦Ｇmthn2）
Ｇｎ＝Ｇmsn（Ｇmthn2−Ｇmthn1）＋１  （Ｇm＞Ｇmthn2）
【０１１１】
ゲイン生成回路２９５は、ゲイン値Ｇｍと閾値Ｇmthn1、Ｇmthn2と抑圧係数Ｇmsnから、前述した式の演算によってノイズ抑圧ゲインGnを出力する。ノイズ抑圧ゲインGnは、マイコン６からノイズ抑圧回路２１に与えられるε値Gepに対するゲインとして乗じられる。
【０１１２】
このようにして、光学パラメータから求められる光量落ち補正ゲインに対して、手ブレ補正による光量落ち補正が画角内でアンバランスになることが防止できる。また、過度に行うことが抑制されて適性値に調整を行うことが可能となると同時に、光量落ち補正量に応じて画質調整を行うことができる。
【０１１３】
閾値Ｇmthe、抑圧係数Ｇmse、閾値Ｇmthn1、Ｇmthn2と抑圧係数Ｇmsnは固定である必要はなく、撮影状況や光量落ち特性曲線の状態、撮影者の意図などで動的に変更することができる。なお、この実施形態では、ゲイン調整回路１４を設けて光量落ちゲイン調整、輪郭補償ゲイン調整、ノイズ抑圧ゲイン調整を行ったが、これは一例に過ぎない。
【０１１４】
例えば、マイコン６で補正関数係数セットＣｍを生成する際に、ゲイン調整回路１４に与えたような抑圧特性を重畳する、ＬＵＴをシフトして使う。そして、得られた光量落ちゲインから輪郭補償ゲイン調整、ノイズ抑圧ゲイン調整を求めるなど、ソフトウェアでも同様の制御を実現することが可能である。
【０１１５】
（本発明に係る他の実施の形態）
前述した本発明の実施の形態における撮像装置を構成する各手段は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【０１１６】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【０１１７】
なお、本発明は、前述した撮像方法における各工程を実行するソフトウェアのプログラム（実施の形態では図３０に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【０１１８】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１１９】
その場合、プログラムの機能を有していれば、オブジェクトコード、インタプリタにより実行されるプログラム、ＯＳに供給するスクリプトデータ等の形態であってもよい。
【０１２０】
プログラムを供給するための記録媒体としては種々の記録媒体を使用することができる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１２１】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【０１２２】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１２３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１２４】
また、コンピュータが、読み出したプログラムを実行することによって、前述した実施の形態の機能が実現される他、コンピュータ上で稼動しているＯＳなどが、実際の処理の一部または全部を行うことによっても前述した実施の形態の機能が実現され得る。
【０１２５】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施の形態の機能が実現される。
【符号の説明】
【０１２６】
１  レンズユニット
２  絞り
３  撮像素子
４  アナログフロントエンド（ＡＦＥ）
５  光量落ち補正回路
６  マイコン
７  ズームレンズ用アクチュエータ
８  フォーカスレンズ用アクチュエータ
９  絞りのアクチュエータ
１０  タイミングジェネレータ（ＴＧ）
１１  画素座標生成回路
１２  光量落ち補正生成回路
１３  光量落ち補正データベース
１４  ゲイン調整回路
１５  シフトレンズ
１６  フレームメモリ
１７  メモリ制御回路
１８  色分離回路
１９  輪郭補償回路
２０  ＹＣマトリクス回路
２１  ノイズ抑圧回路
２２  ホワイトバランス回路
【図１】
0005677361.tif 000005
【図２】
0005677361.tif 000006
【図３】
0005677361.tif 000007
【図４】
0005677361.tif 000008
【図５】
0005677361.tif 000009
【図６】
0005677361.tif 000010
【図７】
0005677361.tif 000011
【図８】
0005677361.tif 000012
【図９】
0005677361.tif 000013
【図１０】
0005677361.tif 000014
【図１１】
0005677361.tif 000015
【図１２】
0005677361.tif 000016
【図１３】
0005677361.tif 000017
【図１４】
0005677361.tif 000018
【図１５】
0005677361.tif 000019
【図１６】
0005677361.tif 000020
【図１７】
0005677361.tif 000021
【図１８】
0005677361.tif 000022
【図１９】
0005677361.tif 000023
【図２０】
0005677361.tif 000024
【図２１】
0005677361.tif 000025
【図２２】
0005677361.tif 000026
【図２３】
0005677361.tif 000027
【図２４】
0005677361.tif 000028
【図２５】
0005677361.tif 000029
【図２６】
0005677361.tif 000030
【図２７】
0005677361.tif 000031
【図２８】
0005677361.tif 000032
【図２９】
0005677361.tif 000033
【図３０】
0005677361.tif 000034